(57)【要約】【課題】画像データより、色文字を含む文字原稿などの読みやすい画像を低コストで再生する。【解決手段】画像入力部１００より入力された画像データから有彩無彩原稿判定部１０３及び中間調原稿判定部１０４により有彩原稿かつ非中間調原稿と判定され、かつ、操作部１０６より低コストモード指定が入力された場合、出力色判定部１０５ａは、原稿画像の再生に用いる出力色としてブラック（Ｋ）とＣＭＹ中の１色（Ｘ）を決定し、この出力色を用いた原稿画像再生を、画像再生手段を構成する画像処理部１０１ａ及び画像出力部１０２ａに指示する。画像再生手段は、入力画像データの各画素を、その色に応じてブラック（Ｋ）又は色（Ｘ）の色剤を用いて出力することにより原稿画像を再生する。【選択図】図１
2006262209.tif 000002
【特許請求の範囲】
【請求項１】
原稿の画像データを入力する画像入力手段、
前記画像入力手段による入力画像データから原稿画像を再生する画像再生手段、
前記入力画像データから、その原稿が有彩原稿であるか無彩原稿であるかを判定する有彩無彩原稿判定手段、
前記入力画像データから、その原稿が中間調原稿であるか非中間調原稿であるか非中間調原稿であるを判定する中間調原稿判定手段、
前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記有彩無彩原稿判定手段により有彩原稿と判定され、かつ、前記中間調原稿判定手段により非中間調原稿と判定された場合に、前記出力色判定手段は前記画像再生手段で原稿画像再生のために使用可能な色剤の色としてブラック（Ｋ）とそれ以外の１つの色（Ｘ）を決定し、前記画像再生手段は前記入力画像データの各画素の色に応じてブラック（Ｋ）の色剤又は色（Ｘ）の色剤を用いることにより原稿画像を再生することを特徴とする画像再生装置。
【請求項２】
原稿の画像データを入力する画像入力手段、
前記画像入力手段による入力画像データから原稿画像を再生する画像再生手段、
前記入力画像データから、その原稿が有彩原稿であるか無彩原稿であるかを判定する有彩無彩原稿判定手段、
前記入力画像データから、その原稿が中間調原稿であるか非中間調原稿であるか非中間調原稿であるを判定する中間調原稿判定手段、
前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記有彩無彩原稿判定手段により有彩原稿と判定され、かつ、前記中間調原稿判定手段により非中間調原稿であると判定された場合に、前記出力色判定手段は前記画像再生手段で原稿画像再生のために使用可能な色剤の色としてブラック（Ｋ）とライトブラック（Ｌｋ）とそれ以外の１つの色（Ｘ）を決定し、前記画像再生手段は前記入力画像データの各画素の色に応じてブラック（Ｋ）の色剤、ライトブラック（Ｌｋ）又は色（Ｘ）の色剤を用いることにより原稿画像を再生することを特徴とする画像再生装置。
【請求項３】
原稿の画像データを入力する画像入力手段、
前記画像入力手段による入力画像データから原稿画像を再生する画像再生手段、
前記入力画像データから、その原稿が有彩原稿であるか無彩原稿であるかを判定する有彩無彩原稿判定手段を有し、
前記有彩無彩原稿判定手段により無彩原稿と判定された場合に、前記画像再生手段において、前記入力画像データの各画素の色に応じてブラック（Ｋ）又はライトブラック（Ｌｋ）の色剤を用いることにより原稿画像を再生することを特徴とする画像再生装置。
【請求項４】
原稿の画像データを入力する画像入力手段、
前記画像入力手段による入力画像データから原稿画像を再生する画像再生手段、
前記入力画像データから、その原稿が有彩原稿であるか無彩原稿であるかを判定する有彩無彩原稿判定手段、
前記入力画像データから、その原稿が中間調原稿であるか非中間調原稿であるか非中間調原稿であるを判定する中間調原稿判定手段、
再生モードを指定するモード指定手段、
前記モード指定手段による指定モード、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記モード指定手段による指定モードが低コストモードであり、前記有彩無彩原稿判定手段の判定結果が有彩原稿であり、かつ、前記中間調原稿判定手段の判定結果が非中間調原稿である場合に、前記出力色判定手段は前記画像再生手段で原稿画像再生のために使用可能な色剤の色としてブラック（Ｋ）とそれ以外の１つの色（Ｘ）を決定し、前記画像再生手段は前記入力画像データの各画素の色に応じてブラック（Ｋ）の色剤又は色（Ｘ）の色剤を用いることにより原稿画像を再生することを特徴とする画像再生装置。
【請求項５】
原稿の画像データを入力する画像入力手段、
前記画像入力手段による入力画像データから原稿画像を再生する画像再生手段、
前記入力画像データから、その原稿が有彩原稿であるか無彩原稿であるかを判定する有彩無彩原稿判定手段、
前記入力画像データから、その原稿が中間調原稿であるか非中間調原稿であるか非中間調原稿であるを判定する中間調原稿判定手段、
再生モードを指定するモード指定手段、
前記モード指定手段による指定モード、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記モード指定手段による指定モードが低コストモードであり、前記有彩無彩原稿判定手段の判定結果が有彩原稿であり、かつ、前記中間調原稿判定手段の判定結果が非中間調原稿である場合に、前記出力色判定手段は前記画像再生手段で原稿画像再生のために使用可能な色剤の色としてブラック（Ｋ）とライトブラック（Ｌｋ）とそれ以外の１つの色（Ｘ）を決定し、前記画像再生手段は前記入力画像データの各画素の色に応じてブラック（Ｋ）の色剤、ライトブラック（Ｌｋ）又は色（Ｘ）の色剤を用いることにより原稿画像を再生することを特徴とする画像再生装置。
【請求項６】
原稿の画像データを入力する画像入力手段、
前記画像入力手段による入力画像データから原稿画像を再生する画像再生手段、
前記入力画像データから、その原稿が有彩原稿であるか無彩原稿であるかを判定する有彩無彩原稿判定手段、
前記入力画像データから、その原稿が中間調原稿であるか非中間調原稿であるか非中間調原稿であるを判定する中間調原稿判定手段、
再生モードを指定するモード指定手段、
前記モード指定手段による指定モード、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記モード指定手段による指定モードが低コスト３色再生モードであり、前記有彩無彩原稿判定手段の判定結果が有彩原稿であり、かつ、前記中間調原稿判定手段の判定結果が非中間調原稿である場合に、前記出力色判定手段は前記画像再生手段で原稿画像再生のために使用可能な色剤の色としてブラック（Ｋ）とライトブラック（Ｌｋ）とそれ以外の１つの色（Ｘ）を決定し、前記画像再生手段は前記入力画像データの各画素の色に応じてブラック（Ｋ）の色剤、ライトブラック（Ｌｋ）又は色（Ｘ）の色剤を用いることにより原稿画像を再生し、
前記モード指定手段による指定モードが低コスト２色再生モードであり、前記有彩無彩原稿判定手段の判定結果が無彩原稿である場合に、前記出力色判定手段は前記画像再生手段で原稿画像再生のために使用可能な色剤の色としてブラック（Ｋ）とライトブラック（Ｌｋ）を決定し、前記画像再生手段は前記入力画像データの各画素の色に応じてブラック（Ｋ）の色剤又はライトブラック（Ｌｋ）の色剤を用いることにより原稿画像を再生することを特徴とする画像再生装置。
【請求項７】
前記出力色判定手段は、前記画像再生手段において使用し得るブラック（Ｋ）以外の他の色剤の色の中から前記入力画像データの色合に近いものを色（Ｘ）として選ぶことを特徴とする請求項１又は４記載の画像再生装置。
【請求項８】
前記出力色判定手段は、前記画像再生手段において使用し得るブラック（Ｋ）及びライトブラック（Ｌｋ）以外の他の色剤の色の中から前記入力画像データの色合に近いものを色（Ｘ）として選ぶことを特徴とする請求項２，５又は６記載の画像再生装置。
【請求項９】
前記出力色判定手段は、前記入力画像データの全画素について画素色と前記他の色剤の色それぞれとの距離の合計を算出し、前記他の色剤の色の中で算出された距離の合計が最小の色を色（Ｘ）として選ぶことを特徴とする請求項７又は８記載の画像再生装置。
【請求項１０】
前記出力色判定手段は、前記入力画像データを色成分別に符号化した場合の色成分毎の符号量を測定もしくは推定し、その色成分毎の符号量と、前記他の色剤の色それぞれのベタ原稿の画像データについて予め求められた色成分毎の符号量との距離を算出し、前記他の色剤の色の中で算出された距離が最小の色を色（Ｘ）に選ぶことを特徴とする請求項７又は８記載の画像再生装置。
【請求項１１】
原稿の画像データを入力し、この入力画像データから原稿画像を再生する画像再生方法であって、
前記入力画像データから、その原稿が有彩原稿であるか無彩原稿であるかの判定及び中間調原稿であるか非中間調原稿であるかの判定を行い、
前記判定の結果が有彩原稿かつ非中間調原稿である場合に、前記入力画像データの各画素の色に応じてブラック（Ｋ）の色剤又は他の１つの色（Ｘ）の色剤を用いることにより原稿画像を再生することを特徴とする画像再生方法。
【請求項１２】
原稿画像再生に使用し得るブラック（Ｋ）以外の色剤の色の中から入力画像データの色合に近いものを色（Ｘ）として選ぶことを特徴とする請求項１１記載の画像再生方法。
【請求項１３】
原稿の画像データを入力し、この入力画像データから原稿画像を再生する画像再生方法であって、
前記入力画像データから、その原稿が有彩原稿であるか無彩原稿であるかの判定及び中間調原稿であるか非中間調原稿であるかの判定を行い、
前記判定の結果が有彩原稿かつ非中間調原稿である場合に、前記入力画像データの各画素の色に応じてブラック（Ｋ）の色剤、ライトブラック（Ｌｋ）又は色（Ｘ）の色剤を用いることにより原稿画像を再生することを特徴とする画像再生方法。
【請求項１４】
原稿画像再生に使用し得るブラック（Ｋ）及びライトブラック（Ｌｋ）以外の色剤の色の中から入力画像データの色合に近いものを色（Ｘ）として選ぶことを特徴とする請求項１３記載の画像再生方法。
【請求項１５】
原稿の画像データを入力し、この入力画像データから原稿画像を再生する画像再生方法であって、
前記入力画像データから、その原稿が有彩原稿であるか無彩原稿であるかの判定を行い、その判定結果が無彩原稿である場合に、前記入力画像データの各画素の色に応じてブラック（Ｋ）又はライトブラック（Ｌｋ）の色剤を用いることにより原稿画像を再生することを特徴とする画像再生方法。
【請求項１６】
請求項１乃至１０のいずれか１項記載の画像再生装置の各手段としてコンピュータを機能させるプログラム。
【請求項１７】
請求項１乃至１０のいずれか１項記載の画像再生装置の各手段としてコンピュータを機能させるプログラムが記録された、コンピュータが読み取り可能な情報記録媒体。
【発明の詳細な説明】
【技術分野】
【０００１】
本発明は、原稿の画像データから原稿画像を再生する装置及び方法に関する。
【背景技術】
【０００２】
画像データが、白黒かカラーかの判定をする判定手段と、文字領域か写真領域かの判定をする手段とを有し、画像データが白黒ならば白黒コピーを、画像データの文字領域のみがカラーならば白黒コピーを、画像データにカラーの写真領域があるならばカラーコピーを行うデジタルカラー複写機の発明が特許文献１に記載されている。
【０００３】
また、原稿中の有彩色成分を特定の色味で表現し、無彩色成分を無彩色成分で表現するカラー複写機などの画像処理装置において、有彩色成分を特定の色味で表現する場合に色相別に出力濃度に差が生じることを防止し、原稿中の有彩色文字等をくっきりと表現することを目的として、上記特定色の表現のたに使用する色剤の配合比率を求める手段、この手段により得られた配合比率に基づいて既存のマスキング計数を演算し上記特定色を再現する新しい係数を算出する手段、この手段により得られた新しい係数からマスキング演算し特定の色を表現するために用いる離散データを算出する手段、この主だが得た離散データの一部を使って残りの離散データを変更する手段を有する装置の発明が特許文献２に記載されている。
【０００４】
なお、文字領域の判定、有彩／無彩原稿の判定、中間調／非中間調原稿の判定、ジェネレーション原稿か否かの判定などについては、従来より様々な手法が知られている（例えば特許文献３，４参照）
【特許文献１】特許第3012105号公報
【特許文献２】特開2001-230943号公報
【特許文献３】特開2000-324338号公報
【特許文献４】特開2001-111850号公報
【発明の開示】
【発明が解決しようとする課題】
【０００５】
デジタルカラー複写機、カラーＦＡＸ、カラープリンタなどで原稿画像を再生する場合、その原稿のほとんど全部が白黒で、ごく一部だけが色文字であるときには、その色に格別の意味がないのであれば、通常、白黒再生すれば十分である。白黒再生に比べ、カラー再生はコストが高く所要時間も長いため、上に述べたような原稿については白黒再生を望むユーザは多い。
【０００６】
上記特許文献１に記載の発明のように、無彩判定された原稿は白黒コピーを、有彩かつ文字領域と判定された原稿は白黒コピーを、有彩かつ写真領域と判定された原稿はカラーコピーを行う構成は、上に述べたユーザの要望には適うものであろう。
【０００７】
しかしながら、今日のように文書のカラー化が一般的になると、特に注目して欲しい箇所を強調するために色文字としたり、内容を理解しやすく（見やすく）するために一部を色文字としたり、色の種類はともかく着色したことに意味を持たせた文字原稿も多い。上記特許文献１記載の発明によれば、このような文字原稿までもブラックの色剤のみを用いて白黒再生されるため、原稿中に意図的に文字に付けられた色の情報が失われてしまうという不都合がある。
【０００８】
本発明は、以上のような問題点に鑑み、色文字を含む文字原稿をブラックとブラック以外の１色又はブラックとライトブラックで再生することにより、原稿のもつ色の情報を識別可能で見やすい原稿画像を再生できる画像再生装置及び方法を提供することを目的とする。また、本発明は、色文字を含む文字原稿を、ブラックとライトブラックとそれ以外の１色で再生することにより、原稿のもつ色の情報を識別可能で見やすく、かつ、黒文字の再生品質が良好な原稿画像を再生できる画像再生装置及び方法を提供することを目的とする。
【０００９】
例えばデジタル複写機の利用料金体系は様々であるが、カラー再生の方が白黒再生よりも利用料金が高額になるのが普通であり、また、フルカラー再生に比べ再生色数が少ないほど料金が安価になるのが一般的である。したがって、色文字を含む文字原稿を、ブラックとその他の１色、ブラックとライトブラック、あるいは、ブラックとライトブラックとその他の１色で再生する方が、フルカラー再生する場合に比べコスト的に有利である。
【００１０】
よって、本発明のもう１つの目的は、色文字を含む文字原稿について、色の情報を識別可能で見やすく、さらには黒文字の品質の良好な原稿画像を低コストで再生することができる画像再生装置及び方法を提供することにある。
【課題を解決するための手段】
【００１１】
請求項１の発明は、原稿の画像データを入力する画像入力手段、この画像入力手段による入力画像データから原稿画像を再生する画像再生手段、前記入力画像データから、その原稿が有彩原稿であるか無彩原稿であるかを判定する有彩無彩原稿判定手段、前記入力画像データから、その原稿が中間調原稿であるか非中間調原稿であるか非中間調原稿であるを判定する中間調原稿判定手段、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記有彩無彩原稿判定手段により有彩原稿と判定され、かつ、前記中間調原稿判定手段により非中間調原稿と判定された場合に、前記出力色判定手段は前記画像再生手段で原稿画像再生のために使用可能な色剤の色としてブラック（Ｋ）とそれ以外の１つの色（Ｘ）を決定し、前記画像再生手段は前記入力画像データの各画素の色に応じてブラック（Ｋ）の色剤又は色（Ｘ）の色剤を用いることにより原稿画像を再生する、
ことを特徴とする画像再生装置である。
【００１２】
請求項２の発明は、原稿の画像データを入力する画像入力手段、この画像入力手段による入力画像データから原稿画像を再生する画像再生手段、前記入力画像データから、その原稿が有彩原稿であるか無彩原稿であるかを判定する有彩無彩原稿判定手段、前記入力画像データから、その原稿が中間調原稿であるか非中間調原稿であるか非中間調原稿であるを判定する中間調原稿判定手段、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記有彩無彩原稿判定手段により有彩原稿と判定され、かつ、前記中間調原稿判定手段により非中間調原稿であると判定された場合に、前記出力色判定手段は前記画像再生手段で原稿画像再生のために使用可能な色剤の色としてブラック（Ｋ）とライトブラック（Ｌｋ）とそれ以外の１つの色（Ｘ）を決定し、前記画像再生手段は前記入力画像データの各画素の色に応じてブラック（Ｋ）の色剤、ライトブラック（Ｌｋ）又は色（Ｘ）の色剤を用いることにより原稿画像を再生する、
ことを特徴とする画像再生装置である。
【００１３】
請求項３の発明は、原稿の画像データを入力する画像入力手段、この画像入力手段による入力画像データから原稿画像を再生する画像再生手段、前記入力画像データから、その原稿が有彩原稿であるか無彩原稿であるかを判定する有彩無彩原稿判定手段を有し、
前記有彩無彩原稿判定手段により無彩原稿と判定された場合に、前記画像再生手段において、前記入力画像データの各画素の色に応じてブラック（Ｋ）又はライトブラック（Ｌｋ）の色剤を用いることにより原稿画像を再生する、
ことを特徴とする画像再生装置である。
【００１４】
請求項４の発明は、原稿の画像データを入力する画像入力手段、この画像入力手段による入力画像データから原稿画像を再生する画像再生手段、前記入力画像データから、その原稿が有彩原稿であるか無彩原稿であるかを判定する有彩無彩原稿判定手段、前記入力画像データから、その原稿が中間調原稿であるか非中間調原稿であるか非中間調原稿であるを判定する中間調原稿判定手段、再生モードを指定するモード指定手段、このモード指定手段による指定モード、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記モード指定手段による指定モードが低コストモードであり、前記有彩無彩原稿判定手段の判定結果が有彩原稿であり、かつ、前記中間調原稿判定手段の判定結果が非中間調原稿である場合に、前記出力色判定手段は前記画像再生手段で原稿画像再生のために使用可能な色剤の色としてブラック（Ｋ）とそれ以外の１つの色（Ｘ）を決定し、前記画像再生手段は前記入力画像データの各画素の色に応じてブラック（Ｋ）の色剤又は色（Ｘ）の色剤を用いることにより原稿画像を再生する、
ことを特徴とする画像再生装置である。
【００１５】
請求項５の発明は、原稿の画像データを入力する画像入力手段、この画像入力手段による入力画像データから原稿画像を再生する画像再生手段、前記入力画像データから、その原稿が有彩原稿であるか無彩原稿であるかを判定する有彩無彩原稿判定手段、前記入力画像データから、その原稿が中間調原稿であるか非中間調原稿であるか非中間調原稿であるを判定する中間調原稿判定手段、再生モードを指定するモード指定手段、このモード指定手段による指定モード、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記モード指定手段による指定モードが低コストモードであり、前記有彩無彩原稿判定手段の判定結果が有彩原稿であり、かつ、前記中間調原稿判定手段の判定結果が非中間調原稿である場合に、前記出力色判定手段は前記画像再生手段で原稿画像再生のために使用可能な色剤の色としてブラック（Ｋ）とライトブラック（Ｌｋ）とそれ以外の１つの色（Ｘ）を決定し、前記画像再生手段は前記入力画像データの各画素の色に応じてブラック（Ｋ）の色剤、ライトブラック（Ｌｋ）又は色（Ｘ）の色剤を用いることにより原稿画像を再生する、
ことを特徴とする画像再生装置である。
【００１６】
請求項６の発明は、原稿の画像データを入力する画像入力手段、この画像入力手段による入力画像データから原稿画像を再生する画像再生手段、前記入力画像データから、その原稿が有彩原稿であるか無彩原稿であるかを判定する有彩無彩原稿判定手段、前記入力画像データから、その原稿が中間調原稿であるか非中間調原稿であるか非中間調原稿であるを判定する中間調原稿判定手段、再生モードを指定するモード指定手段、このモード指定手段による指定モード、前記有彩無彩原稿判定手段の判定結果、前記中間調原稿判定手段の判定結果及び前記入力画像データに基づいて、前記画像再生手段において原稿画像再生のために使用可能な色剤の色を決定する出力色判定手段を有し、
前記モード指定手段による指定モードが低コスト３色再生モードであり、前記有彩無彩原稿判定手段の判定結果が有彩原稿であり、かつ、前記中間調原稿判定手段の判定結果が非中間調原稿である場合に、前記出力色判定手段は前記画像再生手段で原稿画像再生のために使用可能な色剤の色としてブラック（Ｋ）とライトブラック（Ｌｋ）とそれ以外の１つの色（Ｘ）を決定し、前記画像再生手段は前記入力画像データの各画素の色に応じてブラック（Ｋ）の色剤、ライトブラック（Ｌｋ）又は色（Ｘ）の色剤を用いることにより原稿画像を再生し、
前記モード指定手段による指定モードが低コスト２色再生モードであり、前記有彩無彩原稿判定手段の判定結果が無彩原稿である場合に、前記出力色判定手段は前記画像再生手段で原稿画像再生のために使用可能な色剤の色としてブラック（Ｋ）とライトブラック（Ｌｋ）を決定し、前記画像再生手段は前記入力画像データの各画素の色に応じてブラック（Ｋ）の色剤又はライトブラック（Ｌｋ）の色剤を用いることにより原稿画像を再生することを特徴とする画像再生装置である。
【００１７】
請求項７の発明は、請求項１又は４の発明に係る画像再生装置であって、前記出力色判定手段は、前記画像再生手段において使用し得るブラック（Ｋ）以外の他の色剤の色の中から前記入力画像データの色合に近いものを色（Ｘ）として選ぶことを特徴とする画像再生装置である。
【００１８】
請求項８の発明は、請求項２，５又は６の発明に係る画像再生装置であって、前記出力色判定手段は、前記画像再生手段において使用し得るブラック（Ｋ）及びライトブラック（Ｌｋ）以外の他の色剤の色の中から前記入力画像データの色合に近いものを色（Ｘ）として選ぶことを特徴とする画像再生装置である。
【００１９】
請求項９の発明は、請求項７又は８の発明に係る画像再生装置であって、前記出力色判定手段は、前記入力画像データの全画素について画素色と前記他の色剤の色それぞれとの距離の合計を算出し、前記他の色剤の色の中で算出された距離の合計が最小の色を色（Ｘ）として選ぶことを特徴とする画像再生装置である。
【００２０】
請求項１０の発明は、請求項７又は８の発明に係る画像再生装置であって、前記出力色判定手段は、前記入力画像データを色成分別に符号化した場合の色成分毎の符号量を測定もしくは推定し、その色成分毎の符号量と、前記他の色剤の色それぞれのベタ原稿の画像データについて予め求められた色成分毎の符号量との距離を算出し、前記他の色剤の色の中で算出された距離が最小の色を色（Ｘ）に選ぶことを特徴とする画像再生装置である。
【００２１】
請求項１１の発明は、原稿の画像データを入力し、この入力画像データから原稿画像を再生する画像再生方法であって、前記入力画像データから、その原稿が有彩原稿であるか無彩原稿であるかの判定及び中間調原稿であるか非中間調原稿であるかの判定を行い、前記判定の結果が有彩原稿かつ非中間調原稿である場合に、前記入力画像データの各画素の色に応じてブラック（Ｋ）の色剤又は他の１つの色（Ｘ）の色剤を用いることにより原稿画像を再生することを特徴とする画像再生方法である。
【００２２】
請求項１２の発明は、請求項１１の発明に係る画像再生方法であって、原稿画像再生に使用し得るブラック（Ｋ）以外の色剤の色の中から入力画像データの色合に近いものを色（Ｘ）として選ぶことを特徴とする画像再生方法である。
【００２３】
請求項１３の発明は、原稿の画像データを入力し、この入力画像データから原稿画像を再生する画像再生方法であって、前記入力画像データから、その原稿が有彩原稿であるか無彩原稿であるかの判定及び中間調原稿であるか非中間調原稿であるかの判定を行い、前記判定の結果が有彩原稿かつ非中間調原稿である場合に、前記入力画像データの各画素の色に応じてブラック（Ｋ）の色剤、ライトブラック（Ｌｋ）又は色（Ｘ）の色剤を用いることにより原稿画像を再生することを特徴とする画像再生方法である。
【００２４】
請求項１４の発明は、請求項１３の発明に係る画像再生方法であって、原稿画像再生に使用し得るブラック（Ｋ）及びライトブラック（Ｌｋ）以外の色剤の色の中から入力画像データの色合に近いものを色（Ｘ）として選ぶことを特徴とする画像再生方法である。
【００２５】
請求項１５の発明は、原稿の画像データを入力し、この入力画像データから原稿画像を再生する画像再生方法であって、前記入力画像データから、その原稿が有彩原稿であるか無彩原稿であるかの判定を行い、その判定結果が無彩原稿である場合に、前記入力画像データの各画素の色に応じてブラック（Ｋ）又はライトブラック（Ｌｋ）の色剤を用いることにより原稿画像を再生することを特徴とする画像再生方法である。
【００２６】
請求項１６の発明は、請求項１乃至１０のいずれか１項の発明に係る画像再生装置の各手段としてコンピュータを機能させるプログラムである。
【００２７】
請求項１７の発明は、請求項１乃至１０のいずれか１項の発明に係る画像再生装置の各手段としてコンピュータを機能させるプログラムが記録された、コンピュータが読み取り可能な情報記録媒体である。
【発明の効果】
【００２８】
本発明によれば以下のような効果を得られる。
（ａ）請求項１，４，１１の発明によれば、原稿中の黒文字などをブラック（Ｋ）で表現され原稿中の色文字などを別の１色（Ｘ）で表現された、原稿中の強調目的などで付けられた色の情報が残った原稿画像を再生することができる。そして、このような原稿画像はブラック（Ｋ）のみを用いて再生された原稿画像に比べ読みやすさ等の点で優れている。また、その再生コストも、色数が２色であるためフルカラー出力の場合よりも削減される。また、請求項４の発明によれば、このような２色再生動作を行うか否かを、ユーザがモード指定により制御することができる。
（ｂ）請求項２，５，１３の発明によれば、原稿中の黒文字などはブラック（Ｋ）又はライトブラック（Ｌｋ）で表現され、原稿中の原稿中の色文字などは別の１色（Ｘ）で表現された、原稿中の黒文字などは精度よく再現され、かつ、原稿中の強調目的などで付けられた色の情報が残った原稿画像を再生することができる。そして、このような原稿画像はブラック（Ｋ）のみを用いて再生される原稿画像に比べ読みやすさ、黒文字の再生品質等の点で優れている。また、その再生コストも、色数が３色であるためフルカラー出力の場合よりも削減される。また、請求項５の発明によれば、このような３色再生動作を行うか否かを、ユーザがモード指定により制御することができる。
（ｃ）請求項３，１５の発明によれば、原稿中の黒文字などはブラック（Ｋ）で表現され、原稿中の黒以外の文字などはライトブラック（Ｌｋ）で表現された、黒文字は高品質に再現され、かつ、原稿中の色の情報が残った原稿画像を再生することができる。このような原稿画像はブラック（Ｋ）のみを用いて再生される原稿画像に比べ読みやすさ等の点で優れている。また、その再生コストも、色数が２色であるためフルカラー出力の場合よりも削減される。
（ｄ）請求項６の発明によれば、ユーザのモード指定に応じて、ブラック（Ｋ）とライトブラック（Ｌｋ）と他の１色（Ｘ）の３色、又は、ブラック（Ｋ）とライトブラック（Ｌｋ）の２色を用いて、ブラック（Ｋ）のみを用いる場合よりも読みやすさ等の優れた原稿画像を低コストで再生することができる。
（ｅ）請求項７〜１０，１２，１４によれば、ブラック（Ｋ）、ライトブラック（Ｌｋ）以外の１色（Ｘ）として原稿中の色文字などの色に近いものを選択し、原稿中の色の情報をより的確に保存することができる。
（ｆ）請求項１６，１７の発明によれば、請求項１〜１０の発明に係る画像再生装置を、コンピュータを利用して実現することができる。
【発明を実施するための最良の形態】
【００２９】
＜第１の実施形態＞
以下、本発明の第１の実施形態について説明する。本実施形態に係る画像再生装置は、図１にブロック図として示すように、画像入力部１００、画像処理部１０１ａ、画像出力部１０２ａ、有彩無彩原稿判定部１０３、中間調原稿判定部１０４、出力色判定部１０５ａ及び操作部１０６ａを備える構成である。
【００３０】
画像入力部１００は、原稿の画像データ（本実施形態ではＲＧＢデータ）を入力する手段である。一実施例によれば、画像入力部１００は、原稿を光学的に走査して原稿像を電気信号に変換し、この信号をデジタルデータに変換して出力するものである。別の実施例によれば、画像入力部１００は、外部装置よりケーブルやネットワークを通じて原稿の画像データを取り込む手段である。もう一つの実施例によれば、画像入力部１００は、情報記録媒体より原稿の画像データを読み込む手段である。
【００３１】
画像出力部１０２ａは、紙などの媒体に画像をプリントする手段であり、本実施形態では画像のプリントにＫ（ブラック），Ｃ（シアン），Ｍ（マゼンタ），Ｙ（イエロー）の計４色の色剤を用いることができる。一実施例によれば、画像出力部１０２ａは４色のインク滴を紙などの媒体に噴射することによる画像をプリントする方式のプリントエンジンを用いて画像を出力するものである。別の実施例によれば、画像出力部１０２ａは、各色版の画像の静電潜像を感光体に形成し、これをトナー現像するプロセスを繰り返し、各色版のトナー像を重ねて紙などの媒体に転写する方式のプリントエンジンを用いて画像を出力するものである。この画像出力部１０２ａは画像処理部１０１ａとともに、入力画像データから原稿画像を再生する画像再生手段を構成している。
【００３２】
有彩無彩原稿判定部１０３は、画像入力部１００より入力された画像データに基づいて、その画像データが有彩原稿のものか無彩原稿のものかを判定する手段であり、その具体例は後述する。
【００３３】
中間調原稿判定部１０４は、画像入力部１００より入力された画像データに基づいて、その画像データが中間調原稿のものか非中間調原稿のものかを判定する手段である。より具体的には、例えば所定サイズ以上（例えば３cm×３cm以上）の中間調領域が含まれているような原稿を中間調原稿と判定する。中間調とは、例えば網点絵柄、印画紙絵柄、ジェネレーション絵柄、万線絵柄である。中間調原稿判定部１０４の具体例は後述する。
【００３４】
出力色判定部１０５ａは、有彩無彩原稿判定部１０３の判定結果、中間調原稿判定部１０４の判定結果、入力画像データ、及び、操作部１０６ａからのモード指定に基づいて、入力画像データから原稿画像を再生（プリント）するために使用可能な色剤の色（出力色）を決定する手段である。
【００３５】
本実施形態における操作部１０６ａの一例を図８に示す。この例では、操作部１０６ａには、モード指定のための手段として、フルカラーモード用ボタンＡ，白黒モード用ボタンＢ、自動モード用ボタンＣ、低コストモード用ボタンＤが設けられている。１０７は各種メッセージやソフトウェアの操作ボタンなどの表示に用いられる表示パネルである。
【００３６】
ボタンＡが操作されることによりフルカラーモード指定が入力された場合には、出力色判定部１０５ａは出力色をＫＣＭＹの４色とし、フルカラーでのプリントを画像処理部１０１ａ及び画像出力部１０２ａに指示することになる。
【００３７】
ボタンＢが操作されることにより白黒モード指定が入力された場合には、出力色判定部１０５ａは出力色をＫ単色とし、Ｋの色剤のみを用いた白黒プリントを画像処理部１０１ａ及び画像出力部１０２ａに指示することになる。
【００３８】
ボタンＣが操作されることにより自動モード指定が入力された場合には、出力色判定部１０５ａは、有彩無彩原稿判定部１０３の判定結果が無彩原稿ならば出力色をＫ単色とし、Ｋの色剤のみを用いた白黒プリントを画像処理部１０１ａ及び画像出力部１０２ａに指示する。しかし、有彩無彩原稿判定部１０３の判定結果が有彩原稿ならば、出力色をＫＣＭＹの４色とし、４色の色剤を用いたフルカラープリントを画像処理部１０１ａ及び画像出力部１０２ａに指示することになる。
【００３９】
ボタンＤが操作されることにより低コストモード指定が入力された場合には、出力色判定部１０５ａは、有彩無彩原稿判定部１０３及び中間調原稿判定部１０４の判定結果と入力画像データに基づいて出力色を決定する。この決定方法は本発明に特有であるので、以下で詳細に説明する。
【００４０】
画像処理部１０１ａは、出力色判定部１０５ａにより決定された出力色を用いて入力画像データをプリントするための画素毎の色データを出力する手段であり、前述のように画像出力部１０２ａとともに画像再生手段を構成する。
【００４１】
一実施例によれば、有彩無彩原稿判定部１０３は、図２に示すような機能ブロック１１０〜１１５から構成される。ブロック１１０とブロック１１１は入力画像データの各画素毎に、そのＲ，Ｇ，Ｂ値の中の最大の値と最小の値を求める手段である。ブロック１１２は、ブロック１１０，１１１により求められた最大の値と最小の値の差を計算する手段である。ブロック１１３は、ブロック１１２で計算された差が所定の閾値以上ならば有彩画素、そうでなければ無彩画素と判定する手段である。ブロック１１４は、入力画像データ中のブロック１１３により有彩画素と判定された画素の個数を計数する手段である。ブロック１１５は、ブロック１１４により計数された入力画像データ中の有彩画素数が所定の閾値以上ならば有彩原稿と判定し、そうでなければ無彩原稿と判定する手段である。このブロック１１５の判定結果が、有彩無彩原稿判定部１０３の判定結果として出力される。なお、有彩無彩原稿判定については従来から様々な手法が知られている。そのような公知の手法を有彩無彩原稿判定部１０３で用いてもよい。
【００４２】
一実施例によれば、中間調原稿判定部１０４は、図３に示すような機能ブロック１２０〜１２４から構成される。ブロック１２０は入力画像データの各画素が網点絵柄の画素であるか判定する手段であり、ブロック１２１は入力画像データの各画素が印画紙絵柄の画素であるか判定する手段であり、ブロック１２２はジェネレーション絵柄の画素であるか判定する手段である。ブロック１２３は、ブロック１２０，１２１，１２２により網点絵柄画素、印画紙絵柄画素又はジェネレーション絵柄画素と判定された画素の個数を計数する手段である。ブロック１２４は、入力画像データ全体についてブロック１２３で計数された画素数を所定の閾値と比較し、その画素数が閾値以上ならば中間調原稿と判定し、そうでなければ非中間調原稿と判定する手段である。このブロック１２４の判定結果が中間調原稿判定部１０４の判定結果である。
【００４３】
ブロック１２０，１２１，１２２における判定には公知の手法を用いればよいが、その例を簡単に説明する。ブロック１２１の印画紙絵柄画素判定には、入力画像データの例えばＧデータを適当な２つの閾値を用いて３値化し、中間レベルの画素を中心としたＮ×Ｍ画素内の所定数以上の画素が中間レベルであるときに中心画素を印画紙絵柄画素と判定するような手法を用いることができるが、これ以外の手法を採用してもよい。また、ブロック１２０の網点絵柄画素判定には、入力画像データの例えばＧデータに対し、所定サイズのブロック毎にピーク画素を検出し、次に、注目したピーク画素を中心としたブロック内のピーク画素数が所定値を越えたときには注目画素を網点絵柄画素と判定するような手法を用いることができるが、他の手法を用いてもよい。また、ブロック１２２におけるジェネレーション絵柄判定であるが、ジェネレーション原稿（孫コピー）には所定の大きさの追跡パターンがイエローの色剤で記録されているのが一般的であるので、入力画像データのＢデータ（イエローの補色）に対しパターンマッチングにより追跡パターンを検出し、この追跡パターンの画素をジェネレーション絵柄画素と判定であるような手法を用いることができるが、他の手法を用いてもよい（例えば特許文献３参照）。なお、ブロック１２２を省くことも可能である。
【００４４】
図４は、操作部１０６ａより低コストモード指定がなされた場合の出力色判定部１０５ａの動作を説明するためのフローチャートである。
【００４５】
出力色判定部１０５ａにおいては、有彩無彩原稿判定部１０３による判定結果が無彩原稿であるか判定し（ｓｔｅｐ１）、それが無彩原稿ならば出力色をＫ単色と決定し、Ｋ単色プリントを画像処理部１０１ａ及び画像出力部１０２ａに指示する（ｓｔｅｐ２）。つまり、画像処理部１０１ａ及び画像出力部１０２ａは白黒モードが指定された場合と同じ動作をすることになる。
【００４６】
有彩無彩原稿判定部１０３による判定結果が有彩原稿であるならば、次に、中間調原稿判定部１０４の判定結果が中間調原稿であるか判定し（ｓｔｅｐ３）、それが中間調原稿ならば（つまり有彩・中間調原稿）、出力色をＫＣＭＹＫの４色と判定し、フルカラーでのプリントを画像処理部１０１ａ及び画像出力部１０２ａに指示する。つまり、画像処理部１０１ａと画像出力部１０２ａは、フルカラーモードを指定された場合と同じ動作をすることになる。
【００４７】
しかし、中間調原稿判定部１０４の判定結果が非中間調であるならば、つまり、有彩・非中間調原稿ならば、出力色としてＫとＣＭＹ中の１色（Ｘ）の計２色を決定し、その２色でのプリントを画像処理部１０１ａ及び画像出力部１０２ａに指示する（ｓｔｅｐ５）。このように、有彩原稿かつ非中間調原稿と判定された入力画像データについては、Ｋと他の１色Ｘの計２色でプリントを行う点が本実施形態の大きな特徴である。色Ｘは入力画像データに基づいて選ばれる。
【００４８】
一実施例によれば、このｓｔｅｐ５において、図５に示すような処理によって、ＣＭＹの中から入力画像データの色合に近いものが色（Ｘ）に選ばれる。
【００４９】
ｓｔｅｐ１１〜１８は入力画像データの画素毎に繰り返される処理ループである。まず、注目した位置P(x,y)における画素のRGB成分P(R(x,y),G(x,y),B(x,y))と、マゼンタのRGB成分M(255,0,255)との距離dist_M
dist_M=|R(x,y)−255|+|G(x,y)−0|+|B(x,y)−255|
を算出する（ｓｔｅｐ１１）。次に、このdis_Mをtotal_M（０に初期化されている）に加算する（ｓｔｅｐ１２）。すなわち、
total_M=total_M+dist_M
の計算を行う。次に、注目した位置P(x,y)における画素のRGB成分P(R(x,y),G(x,y),B(x,y))と、シアンのRGB成分C(0,255,255)との距離dist_C
dist_C=|R(x,y)−0|+|G(x,y)−255|+|B(x,y)−255|
を算出する（ｓｔｅｐ１３）。このdist_Cをtotal_C（０に初期化されている）に加算する（ｓｔｅｐ１４）。すなわち、
total_C=total_C+dist_C
の計算を行う。次に、注目した位置P(x,y)における画素のRGB成分P(R(x,y),G(x,y),B(x,y))と、イエローのRGB成分Y(255,255,0)との距離dist_C
dist_Y=|R(x,y)−255|+|G(x,y)−255|+|B(x,y)−0|
を算出する（ｓｔｅｐ１５）。このdist_Yをtotal_Y（０に初期化されている）に加算する（ｓｔｅｐ１６）。すなわち、
total_Y=total_Y+dist_Y
を計算する。
【００５０】
注目位置を移動させ（ｓｔｅｐ１８）、同様の処理を繰り返す。入力画像データの最後の画素位置まで処理を終わると（ｓｔｅｐ１７，Ｙｅｓ）、最終的なtotal_C,total_M,total_Yを用いて出力色を決定する。
【００５１】
まず、total_M,total_C,total_Yの中の最小値を求め、これをtotal_minとする（ｓｔｅｐ１９）。そして、total_min＝total_Yならば（ｓｔｅｐ２０，Ｙｅｓ）、出力色をＫとＹに決定し、ＫとＹを用いたプリントを画像処理部１０１ａ及び画像出力部１０２ａに指示する（ｓｔｅｐ２１）。total_min＝total_Mならば（ｓｔｅｐ２２，Ｙｅｓ）、出力色をＫとＭに決定し、ＫとＭを用いたプリントを画像処理部１０１ａ及び画像出力部１０２ａに指示する（ｓｔｅｐ２３）。total_min＝total_Cならば（ｓｔｅｐ２２，Ｎｏ）、出力色をＫとＣに決定し、ＫとＣを用いたプリントを画像処理部１０１ａ及び画像出力部１０２ａに指示する（ｓｔｅｐ２４）。
【００５２】
かくして、Ｙに近い色合を持つ有彩・非中間調原稿の画像データはＫ，Ｙの２色を使用してプリントされ、Ｍに近い色合を持つ有彩・非中間調原稿の画像データはＫ，Ｍの２色を使用してプリントされ、Ｃに近い色合を持つ有彩・非中間調原稿の画像データはＫ，Ｃの２色を使用してプリントされることになる。
【００５３】
別の実施例によれば、図４のｓｔｅｐ５において、図６に示すような処理によって、入力画像データの色合に近い色（Ｘ）が決定される。
【００５４】
まず、入力画像データに対し、Ｒ，Ｇ，Ｂ各成分毎に別々に符号化（圧縮）した場合のＲ成分の符号量Ｒ０、Ｇ成分の符号量Ｇ０、Ｂ成分の符号化量Ｂ０を測定する（ｓｔｅｐ３１）。この測定のために、実際に例えばＪＰＥＧ２０００の符号化処理を行ってもよいが、より簡略には、例えばＪＰＥＧ２０００で用いられるウェーブレット変換を成分毎に行い、各成分について得られたウェーブレット係数の絶対値の合計から各成分の符号量を推定してもよい。
【００５５】
そして、同じサイズのＣベタ原稿、Ｍベタ原稿、Ｙベタ原稿の画像データに対し予め求められたＲ，Ｇ，Ｂ成分の符号量（Ｒｃ，Ｇｃ，Ｂｃ），（Ｒｍ，Ｇｍ，Ｂｍ），（Ｒｙ，Ｇｙ，Ｂｙ）と、（Ｒ０，Ｇ０，Ｂ０）との距離dist_C，dist_M，dist_Y
dist_C=|R0−Rc|+|G0−Gc|+|B0−Bc|
dist_M=|R0−Rm|+|G0−Gm|+|B0−Bm|
dist_Y=|R0−Ry|+|G0−Gy|+|B0−By|
を算出する（ｓｔｅｐ３２，ｓｔｅｐ３３，ｓｔｅｐ３４）。
【００５６】
次に、dist_M，total_C，total_Yの中の最小値を求め、これをdist_minとする（ｓｔｅｐ３５）。そして、dist_min＝dist_Yならば（ｓｔｅｐ３６，Ｙｅｓ）、出力色をＫとＹに決定し、Ｋ，Ｙ２色を使用したプリントを画像処理部１０１ａ及び画像出力部１０２ａに指示する（ｓｔｅｐ３７）。dist_min＝dist_Mならば（ｓｔｅｐ３８，Ｙｅｓ）、出力色をＫとＭに決定し、Ｋ，Ｍ２色を使用したプリントを画像処理部１０１ａ及び画像出力部１０２ａに指示する（ｓｔｅｐ３９）。dist_min＝dist_Cならば（ｓｔｅｐ３８，Ｎｏ）、出力色をＫとＣに決定し、Ｋ，Ｃ２色を使用したプリントを画像処理部１０１ａ及び画像出力部１０２ａに指示する（ｓｔｅｐ４０）。
【００５７】
かくして、Ｙに近い色合を持つ有彩・非中間調原稿の画像データはＫ，Ｙ２色を使用してプリントされ、Ｍに近い色合を持つ有彩・非中間調原稿の画像データはＫ，Ｍ２色を使用してプリントされ、Ｃに近い色合を持つ有彩・非中間調原稿の画像データはＫ，Ｃ２色を使用してプリントされることになる。
【００５８】
出力色判定部１０５ａによりＬとＸ（ＣＭＹ中の１色）の２色を使用したプリントを指示された場合の画像処理部１０１ａの処理について、図７のフローチャートを参照して説明する。ここに示す処理は入力画像データの各画素について実行される。
【００５９】
注目した位置P(x,y)における画素のRGB成分P(R(x,y),G(x,y),B(x,y))と、ブラックＫのRGB成分Ｋ(0,0,0)との距離dist_K
dist_K=|R(x,y)−0|+|G(x,y)−0|+|B(x,y)−0|
を算出する（ｓｔｅｐ５０）。
【００６０】
同様に、P(R(x,y),G(x,y),B(x,y))と色ＸのRGB成分との距離dist_Xを算出する（ｓｔｅｐ５１）。Ｘ＝ＣであればX(0,255,255)との距離dist_Xは次式
dist_X=|R(x,y)−0|+|G(x,y)−255|+|B(x,y)−255|
により算出され、Ｘ＝ＭであればX(255,0,255)との距離dist_Xは次式
dist_X=|R(x,y)−255|+|G(x,y)−0|+|B(x,y)−255|
により算出され、Ｘ＝ＹであればX(255,255,0)との距離dist_Xは次式
dist_X=|R(x,y)−255|+|G(x,y)−255|+|B(x,y)−0|
により算出されることになる。
【００６１】
次に算出されたdist_Kとdist_Xの最小値を求め、これをdist_minとする（ｓｔｅｐ５２）。そして、dist_min＝dist_Kならば（ｓｔｅｐ５３，Ｙｅｓ）、注目画素のＲＧＢ値からＫ値を算出し（ｓｔｅｐ５４）、それを画像出力部１０２ａへ出力する（ｓｔｅｐ５５）。したがって、画像出力部１０２ａでは、このＫ値に応じた濃度のブラックの画素として注目画素がプリントされる。一方、dist_min＝dist_Xならば（ｓｔｅｐ５３，Ｎｏ）、注目画素のＲＧＢ値からＸ値を算出し（ｓｔｅｐ５６）、それを画像出力部１０２ａへ出力する（ｓｔｅｐ５７）。したがって、画像出力部１０２ａでは、このＸ値に応じた濃度のＸ色の画素として注目画素がプリントされる。ｓｔｅｐ５４，５６におけるＲＧＢ値からＫ値，Ｘ（Ｃ，Ｍ又はＹ）値への変換には、例えば一般的なマトリクス演算が用いられる。
【００６２】
以上の処理により生成されたデータに従って画像出力部１０２ａは入力画像データの各画素を出力するため、入力画像データの各画素の色に応じてＫ又はＸの色剤を用いて原稿画像が再生されることになる。このようにして再生された原稿画像においては、原稿中の黒文字などはＫで表現され、原稿中の色文字などはＸで表現され、原稿中の強調目的などで付けられた色の情報が残るため、Ｋのみを用いて再生される原稿画像に比べ読みやすさ等の点で優れている。その再生コストも、色数が２色であるためフルカラー出力の場合よりも削減される。また、このような２色再生動作が行われるのは、ユーザが低コストモードを指定し、かつ、入力画像データが有彩・非中間調原稿のデータである場合のみである。したがって、ユーザが２色再生を希望しないのであれば、有彩・非中間調原稿のデータに対してもフルカラー再生などを選ぶこともできる。
【００６３】
なお、ｓｔｅｐ５０，５１おける距離計算にRGBデータ（輝度データ）をそのまま用いたが、RGBデータを濃度データ（KCMY）に変換し、それを用いて距離を計算するようにしてもよい。また、本実施形態では、画像出力部１０２ａはＫＣＭＹの４色を出力し得るものであったが、ＫＲＧＢの４色あるいはＫＣＬｃＭＬｍＹＬｙの７色を出力し得る場合にも同様の２色プリントが可能である（なお、Ｌｃ，Ｌｍ，Ｌｙはライトシアン，ライトマゼンタ，ライトイエロー）。すなわち、低コストモードが指定された場合に、有彩・非中間調原稿と判定したときには、入力画像データに基づき、出力色としてＫとＲＧＢ中の１色、あるいはＫとＣＬｃＭＬｍＹＬｙ中の１色を選択し、その２色を使用しプリントを行うようにしてもよく、かかる態様も本実施形態に含まれるものである。
【００６４】
なお、出力色判定部１０５ａによりフルカラープリント又は白黒プリントを指示された場合の画像処理部１０１ａの動作は従来と変わらない。すなわち、フルカラープリントを指示された場合には、入力画像データの各画素のＲＧＢ値を例えば一般的なマトリクス演算によりＫＣＭＹ値に変換し出力する。白黒プリントを指定された場合には、入力画像データの各画素のＲＧＢ値を例えば一般的なマトリクス演算でＫ値に変換し出力する。
【００６５】
以上の説明から明らかなように、本実施形態は請求項１，４，７，９，１０の発明の一実施形態である。また、本実施形態における処理内容は請求項１１，１２の発明に係る画像再生方法の処理内容でもあることは明らかである。よって、本実施形態は請求項１１，１２の発明の一実施形態でもある。
【００６６】
＜第２の実施形態＞
次に、本発明の第２の実施形態について説明する。本実施形態に係る画像再生装置は、図９にブロック図として示すように、画像入力部１００、画像処理部１０１ｂ、画像出力部１０２ｂ、有彩無彩原稿判定部１０３、中間調原稿判定部１０４、出力色判定部１０５ｂ及び操作部１０６ｂを備える構成である。画像入力部１００、無彩有彩原稿判定部１０３、中間調原稿判定部１０４は前記第１の実施形態の対応部と同様であるので説明を繰り返さない。以下、画像処理部１０１ｂ、画像出力部１０２ｂ、出力色判定部１０５ｂ及び操作部１０６ｂについて説明する。
【００６７】
画像出力部１０２ｂは、プリントに用い得る色がＫＬｋＣＭＹの５色（Ｌｋはライトブラック）であることが前記第１の実施形態における画像出力部１０２ａと相違する。
【００６８】
操作部１０６ｂは例えば図１６に示すように、モード指定のための手段として、フルカラーモード用ボタンＡ、白黒モード用ボタンＢ、自動モード用ボタンＣ、低コストモード用ボタンＤを備えることは図８の例と同様であるが、低コストモード用ボタンＤを操作すると、表示パネル１０７に、３色モード指定用のソフトウェアボタンＤ１、Ｌ，Ｌｋ２色モード指定用のソフトウェアボタンＤ２と、それらモード時のプリントイメージが表示される。
【００６９】
次に、出力部１０５ｂについて説明する。まず、３色モード指定用ソフトウェアボタンＤ１が操作され低コスト３色モード指定が入力された場合の出力色判定部１０５ｂの動作を、図１０及び図１１のフローチャートを参照して説明する。
【００７０】
図１０を参照する。出力色判定部１０５ｂにおいて、有彩無彩原稿判定部１０３の判定結果をチェックする（ｓｔｅｐ１０１）。その判定結果が無彩原稿のときには、出力色をＫ単色と判定し、Ｋ単色によるプリントを画像処理部１０１ｂ及び画像出力部１０２ｂに指示する（ｓｔｅｐ１０２）。
【００７１】
有彩無彩原稿判定部１０３の判定結果が有彩原稿である場合（ｓｔｅｐ１０１，Ｎｏ）、中間調原稿判定部１０４の判定結果をチェックする（ｓｔｅｐ１０３）。その判定結果が中間調原稿であるときには、ＫＬｋＣＭＹ５色を使用するフルカラープリントを画像処理部１０１ｂ及び画像出力部１０２ｂに指示する（ｓｔｅｐ１０４）。
【００７２】
中間調原稿判定部１０４の判定結果が非中間調原稿の場合、つまり、入力画像データが有彩・非中間調原稿の画像データであると判断される場合には、出力色としてＫ，Ｌｋ，Ｘ（ＣＭＹ中の１色）の計３色を決定し、それを使用したプリントを画像処理部１０１ｂ及び画像出力部１０２ｂに指示する（ｓｔｅｐ１０５）。色Ｘは入力画像データに基づいて選ばれる。
【００７３】
一実施例によれば、ｓｔｅｐ１０５において、図１１に示すような処理によって、入力画像データの色合に近い色（Ｘ）が決定される。
【００７４】
ｓｔｅｐ１１１〜１１８は入力画像データの画素毎に繰り返される処理ループである。まず、注目した位置P(x,y)における画素のRGB成分P(R(x,y),G(x,y),B(x,y))と、マゼンタのRGB成分M(255,0,255)との距離dist_M
dist_M=|R(x,y)−255|+|G(x,y)−0|+|B(x,y)−255|
を算出する（ｓｔｅｐ１１１）。次に、このdis_Mをtotal_M（０に初期化されている）に加算する（ｓｔｅｐ１１２）。すなわち、
total_M=total_M+dist_M
の計算を行う。次に、注目した位置P(x,y)における画素のRGB成分P(R(x,y),G(x,y),B(x,y))と、シアンのRGB成分C(0,255,255)との距離dist_C
dist_C=|R(x,y)−0|+|G(x,y)−255|+|B(x,y)−255|
を算出する（ｓｔｅｐ１１３）。このdist_Cをtotal_C（０に初期化されている）に加算する（ｓｔｅｐ１１４）。すなわち、
total_C=total_C+dist_C
の計算を行う。次に、注目した位置P(x,y)における画素のRGB成分P(R(x,y),G(x,y),B(x,y))と、イエローのRGB成分Y(255,255,0)との距離dist_C
dist_Y=|R(x,y)−255|+|G(x,y)−255|+|B(x,y)−0|
を算出する（ｓｔｅｐ１１５）。このdist_Yをtotal_Y（０に初期化されている）に加算する（ｓｔｅｐ１１６）。すなわち、
total_Y=total_Y+dist_Y
を計算する。
【００７５】
注目位置を移動させ（ｓｔｅｐ１１８）、同様の処理を繰り返す。入力画像データの最後の画素位置まで処理を終わると（ｓｔｅｐ１１７，Ｙｅｓ）、最終的なtotal_C,total_M,total_Yを用いて出力色を決定する。
【００７６】
まず、total_M,total_C,total_Yの中の最小値を求め、これをtotal_minとする（ｓｔｅｐ１１９）。そして、total_min＝total_Yならば（ｓｔｅｐ１２０，Ｙｅｓ）、出力色をＫ，Ｌｋ，Ｙに決定し、Ｋ，Ｌｋ，Ｙを用いたプリントを画像処理部１０１ｂ及び画像出力部１０２ｂに指示する（ｓｔｅｐ２１）。total_min＝total_Mならば（ｓｔｅｐ１２２，Ｙｅｓ）、出力色をＫ，Ｌｋ，Ｍに決定し、Ｋ，Ｌｋ，Ｍを用いたプリントを画像処理部１０１ｂ及び画像出力部１０２ｂに指示する（ｓｔｅｐ１２３）。total_min＝total_Cならば（ｓｔｅｐ１２２，Ｎｏ）、出力色をＫ，Ｌｋ，Ｃに決定し、Ｋ，Ｌｋ，Ｃを用いたプリントを画像処理部１０１ｂ及び画像出力部１０２ｂに指示する（ｓｔｅｐ１２４）。
【００７７】
かくして、Ｙに近い色合を持つ有彩・非中間調原稿の画像データはＫ，Ｌｋ，Ｙの３色を使用してプリントされ、Ｍに色合を持つ有彩・非中間調原稿の画像データはＫ，Ｌｋ，Ｍの３色を使用してプリントされ、Ｃに近い色合を持つ有彩・非中間調原稿の画像データはＫ，Ｌｋ，Ｃの３色を使用してプリントされることになる。
【００７８】
別の実施例によれば、図１０のｓｔｅｐ１０５において、図１２に示すような処理によって、入力画像データの色合に近い色（Ｘ）が決定される。
【００７９】
まず、入力画像データに対し、Ｒ，Ｇ，Ｂ各成分毎に別々に符号化（圧縮）した場合のＲ成分の符号量Ｒ０、Ｇ成分の符号量Ｇ０、Ｂ成分の符号化量Ｂ０を測定する（ｓｔｅｐ１３１）。この測定のために、実際に例えばＪＰＥＧ２０００の符号化処理を行ってもよいが、より簡略には、例えばＪＰＥＧ２０００で用いられるウェーブレット変換を成分毎に行い、各成分について得られたウェーブレット係数の絶対値の合計から各成分の符号量を推定してもよい。
【００８０】
そして、同じサイズのＣベタ原稿、Ｍベタ原稿、Ｙベタ原稿の画像データについて予め求められたＲ，Ｇ，Ｂ成分の符号量（Ｒｃ，Ｇｃ，Ｂｃ），（Ｒｍ，Ｇｍ，Ｂｍ），（Ｒｙ，Ｇｙ，Ｂｙ）と（Ｒ０，Ｇ０，Ｂ０）との距離dist_C，dist_M，dist_Y
dist_C=|R0−Rc|+|G0−Gc|+|B0−Bc|
dist_M=|R0−Rm|+|G0−Gm|+|B0−Bm|
dist_Y=|R0−Ry|+|G0−Gy|+|B0−By|
を算出する（ｓｔｅｐ１３２，ｓｔｅｐ１３３，ｓｔｅｐ１３４）。
【００８１】
次に、dist_M，total_C，total_Yの中の最小値を求め、これをdist_minとする（ｓｔｅｐ１３５）。そして、dist_min＝dist_Yならば（ｓｔｅｐ１３６，Ｙｅｓ）、出力色をＫ，Ｌｋ，Ｙに決定し、Ｋ，Ｌｋ，Ｙの３色を使用したプリントを画像処理部１０１ｂ及び画像出力部１０２ｂに指示する（ｓｔｅｐ１３７）。dist_min＝dist_Mならば（ｓｔｅｐ１３８，Ｙｅｓ）、出力色をＫ，Ｌｋ，Ｍに決定し、Ｋ，Ｌｋ，Ｍの３色を使用したプリントを画像処理部１０１ｂ及び画像出力部１０２ｂに指示する（ｓｔｅｐ１３９）。dist_min＝dist_Cならば（ｓｔｅｐ１３８，Ｎｏ）、出力色をＫ，Ｌｋ，Ｃに決定し、Ｋ，Ｌｋ，Ｃの３色を使用したプリントを画像処理部１０１ｂ及び画像出力部１０２ｂに指示する（ｓｔｅｐ１４０）。
【００８２】
かくして、Ｙに近い色味を持つ有彩・非中間調原稿の画像データはＫ，Ｌｋ，Ｙ３を使用してプリントされ、Ｍに近い色味を持つ有彩・非中間調原稿の画像データはＫ，Ｌｋ，Ｍ３色を使用してプリントされ、Ｃに近い色味を持つ有彩・非中間調原稿の画像データはＫ，Ｌｋ，Ｃ３色を使用してプリントされることになる。
【００８３】
出力色判定部１０５ｂによりＬ，Ｌｋ，Ｘ（ＣＭＹ中の１色）の３色を使用したプリントを指示された場合の画像処理部１０１ｂの処理について、図１３のフローチャートを参照して説明する。ここに示す処理は入力画像データの各画素について実行される。
【００８４】
注目した位置P(x,y)における画素のRGB成分P(R(x,y),G(x,y),B(x,y))と、ブラックＫのRGB成分Ｋ(0,0,0)との距離dist_K
dist_K=|R(x,y)−0|+|G(x,y)−0|+|B(x,y)−0|
を算出する（ｓｔｅｐ１５０）。
【００８５】
同様に、P(R(x,y),G(x,y),B(x,y))と、ライトブラックＬｋのＲＧＢ成分Lk(128,128,128)との距離dist_Lk
dist_Lk=|R(x,y)−128|+|G(x,y)−128|+|B(x,y)−128|
を算出する（ｓｔｅｐ１５２）。
【００８６】
同様に、P(R(x,y),G(x,y),B(x,y))と色ＸのRGB成分との距離dist_Xを算出する（ｓｔｅｐ１５３）。Ｘ＝ＣであればX(0,255,255)との距離dist_Xは次式
dist_X=|R(x,y)−0|+|G(x,y)−255|+|B(x,y)−255|
により算出され、Ｘ＝ＭであればX(255,0,255)との距離dist_Xは次式
dist_X=|R(x,y)−255|+|G(x,y)−0|+|B(x,y)−255|
により算出され、Ｘ＝ＹであればX(255,255,0)との距離dist_Xは次式
dist_X=|R(x,y)−255|+|G(x,y)−255|+|B(x,y)−0|
により算出されることになる。
【００８７】
次に算出されたdist_K，dist_Lk，dist_Xの最小値を求め、これをdist_minとする（ｓｔｅｐ１５４）。そして、dist_min＝dist_Kならば（ｓｔｅｐ１５５，Ｙｅｓ）、注目画素のＲＧＢ値からＫ値を算出し（ｓｔｅｐ１５６）、それを画像出力部１０２ｂへ出力する（ｓｔｅｐ１５７）。したがって、画像出力部１０２ｂでは、このＫ値に応じた濃度のブラックの画素として注目画素がプリントされる。
【００８８】
dist_min＝dist_Lkならば（ｓｔｅｐ１５８，Ｙｅｓ）、注目画素のＲＧＢ値からＬｋ値を算出し（ｓｔｅｐ１５９）、それを画像出力部１０２ｂへ出力する（ｓｔｅｐ１６０）。したがって、画像出力部１０２ｂでは、このＬｋ値に応じた濃度のライトブラックの画素として注目画素がプリントされる。
【００８９】
dist_min＝dist_Xならば（ｓｔｅｐ１５８，Ｎｏ）、注目画素のＲＧＢ値からＸ値を算出し（ｓｔｅｐ１６１）、それを画像出力部１０２ｂへ出力する（ｓｔｅｐ１６２）。したがって、画像出力部１０２ｂでは、このＸ値に応じた濃度のＸ色の画素として注目画素がプリントされる。ｓｔｅｐ１５６，１５９，１６１におけるＲＧＢ値からＫ値，Ｌｋ値，Ｘ（Ｃ，Ｍ又はＹ）値への変換には、例えば一般的なマトリクス演算が用いられる。
【００９０】
以上の処理により生成されたデータに従って画像出力部１０２ａは入力画像データの各画素を出力するため、原稿画像は入力画像データの各画素の色に応じてＫ、Ｌｋ又はＸの色剤を用いて再生されることになる。このようにして再生された原稿画像においては、原稿中の黒文字などはＫ又はＬｋで表現され、原稿中の原稿中の色文字などはＸで表現され、原稿中の黒文字などは精度よく再現し、かつ、原稿中の強調目的などで付けられた色の情報が残るため、Ｋのみを用いて再生される原稿画像に比べ読みやすさ等の点で優れている。その再生コストも、色数が３色であるためフルカラー出力の場合よりも削減される。また、このような３色再生動作が行われるのは、ユーザが低コスト３色モードを指定し、かつ、入力画像データが有彩・非中間調原稿のデータである場合のみである。したがって、ユーザが３色再生を希望しないのであれば、有彩・非中間調原稿のデータに対してもフルカラー再生などを選ぶこともできる。
【００９１】
なお、ｓｔｅｐ１５１，１５２，１５３おける距離計算にRGBデータ（輝度データ）をそのまま用いたが、RGBデータを濃度データ（ＫＬｋＣＭＹ）に変換し、それを用いて距離を計算するようにしてもよい。
【００９２】
次に、Ｋ．Ｌｋ２色モード用ボタンＤ２が操作された場合の動作について説明する。図１４は、このＫ，Ｌｋ２色モード指定（低コスト２色モード）が入力された場合の出力色判定部１０５ｂの動作を説明するためのフローチャートである。
【００９３】
出力色判定部１０５ｂは、有彩無彩原稿判定部１０３による判定結果をチェックし（ｓｔｅｐ１７１）、それが有彩原稿であるならば出力色をＫＬｋＣＭＹの５色としたフルカラープリントを画像処理部１０１ｂ及び画像出力部１０２ｂに指示する（ｓｔｅｐ１７２）。判定結果が無彩原稿であるならば（ｓｔｅｐ１７１，Ｙｅｓ）、出力色をＬとＬｋの２色とした２色プリントを画像処理部１０１ｂ及び画像出力部１０２ｂに指示する。このように当該モードでは、無彩原稿であるならば、中間調原稿判定部１０４の判定結果にかかわらずＬ，Ｌｋの２色を使用したプリントが行われる。
【００９４】
Ｌ，Ｌｋの２色プリントを指定された場合の画像処理部１０１ｂの処理を図１５のフローチャートを参照して説明する。ここに示す処理は入力画像データの各画素について実行される。
【００９５】
注目した位置P(x,y)における画素のRGB成分P(R(x,y),G(x,y),B(x,y))と、ブラックＫのRGB成分Ｋ(0,0,0)との距離dist_K
dist_K=|R(x,y)−0|+|G(x,y)−0|+|B(x,y)−0|
を算出する（ｓｔｅｐ１８１）。
【００９６】
同様に、P(R(x,y),G(x,y),B(x,y))と、ライトブラックＬｋのＲＧＢ成分Lk(128,128,128)との距離dist_Lk
dist_Lk=|R(x,y)−128|+|G(x,y)−128|+|B(x,y)−128|
を算出する（ｓｔｅｐ１８２）。ただし、Lk(128,128,128)は、ライトブラックの色剤（トナー）が再生し得る代表的なＲＧＢ成分の一例にすぎない。
【００９７】
次に、算出されたdist_K，dist_Lkの最小値を求め、これをdist_minとする（ｓｔｅｐ１８３）。そして、dist_min＝dist_Kならば（ｓｔｅｐ１８４，Ｙｅｓ）、注目画素のＲＧＢ値からＫ値を算出し（ｓｔｅｐ１８５）、それを画像出力部１０２ｂへ出力する（ｓｔｅｐ１８６）。したがって、画像出力部１０２ｂでは、このＫ値に応じた濃度のブラックの画素として注目画素がプリントされる。
【００９８】
dist_min＝dist_Lkならば（ｓｔｅｐ１８４，Ｎｏ）、注目画素のＲＧＢ値からＬｋ値を算出し（ｓｔｅｐ１８７）、それを画像出力部１０２ｂへ出力する（ｓｔｅｐ１８８）。したがって、画像出力部１０２ｂでは、このＬｋ値に応じた濃度のライトブラックの画素として注目画素がプリントされる。
【００９９】
このようにして再生された原稿画像においては、原稿中の黒文字などはＫで表現され、原稿中の黒以外の文字などはＬｋで表現され、黒文字は高品質に再現され、かつ、原稿中の色の情報が残るため、Ｋのみを用いて再生される原稿画像に比べ読みやすさ等の点で優れている。その再生コストも、色数がＫ，Ｌｋの２色であるためフルカラー出力の場合よりも削減される。また、このような２色再生動作が行われるのは、ユーザが低コスト２色モードを指定し、かつ、入力画像データが無彩原稿のデータである場合のみである。したがって、ユーザが２色再生を希望しないのであれば、無彩原稿のデータに対してもフルカラー再生などを選ぶこともできる。
【０１００】
なお、ｓｔｅｐ１８５，１８７におけるＲＧＢ値からＫ値，Ｌｋ値への変換には、例えば一般的なマトリクス演算が用いられる。また、ｓｔｅｐ１８１，１８２おける距離計算にRGBデータ（輝度データ）をそのまま用いたが、RGBデータを濃度データ（ＫＬｋＣＭＹ）に変換し、それを用いて距離を計算するようにしてもよい。
【０１０１】
また、本実施形態では、画像出力部１０２ｂはＫＬｋＣＭＹの５色を出力し得るものであったが、ＫＬｋＲＧＢの５色、あるいは、ＫＬｋＣＬｃＭＬｍＹＬｙの８色を出力し得る場合にも同様の２色又は３色プリントが可能であり、かかる態様も本実施形態に含まれる。
【０１０２】
以上の説明から明らかなように、本実施形態は請求項２，３，５，６，８，９，１０の発明の一実施形態である。また、本実施形態における処理内容は請求項１３，１４，１５の発明に係る画像再生方法の処理内容でもあることは明らかである。よって、本実施形態は請求項１１，１２の発明の一実施形態でもある。
【０１０３】
また、前記各実施形態に係る画像再生装置はパソコンなどのコンピュータの備える資源を利用して実現することも容易である。すなわち、前記各実施形態に係る画像再生装置を構成する各手段としてコンピュータを機能させるためのプログラムをコンピュータに読み込ませることにより、コンピュータを前記各実施形態に係る画像再生装置として動作させることができる。このようなプログラムは請求項１６に係るプログラムの実施形態に相当する。また、このようなプログラムが記録された磁気ディスク、光ディスク、光磁気ディスク、半導体記憶素子などの、コンピュータが読み取り可能な各種の情報記録（記憶）媒体は請求項１７に係る情報記録媒体の実施形態に相当する。
【図面の簡単な説明】
【０１０４】
【図１】本発明の第１の実施形態を説明するためのブロック図である。
【図２】有彩無彩原稿判定部の構成の一例を示すブロック図である。
【図３】中間調原稿判定部の構成の一例を示すブロック図である。
【図４】低コストモードが指定された場合の出力色判定部の動作を説明するためのフローチャートである。
【図５】低コストモード指定の場合における有彩・非中間調原稿に対する出力色判定部の動作を説明するためのフローチャートである。
【図６】低コストモード指定の場合における有彩・非中間調原稿に対する出力色判定部の動作を説明するためのフローチャートである。
【図７】ＫとＣＭＹ中の１色によるプリントを指示された場合における画像処理部の動作を説明するためのフローチャートである。
【図８】操作部の説明図である。
【図９】本発明の第２の実施形態を説明するためのブロック図である。
【図１０】低コスト３色モードが指定された場合における出力色判定部の動作を説明するためのフローチャートである。
【図１１】低コスト３色モードが指定された場合における有彩・非中間調原稿に対する出力色判定部の動作を説明するためのフローチャートである。
【図１２】低コスト３色モードが指定された場合における有彩・非中間調原稿に対する出力色判定部の動作を説明するためのフローチャートである。
【図１３】Ｋ，ＬｋとＣＭＹ中の１色によるプリントを指示された場合における画像処理部の動作を説明するためのフローチャートである。
【図１４】低コスト２色モードが指定された場合における出力色判定部の動作を説明するためのフローチャートである。
【図１５】Ｋ，Ｌｋの２色によるプリントを指示された場合における画像処理部の動作を説明するためのフローチャートである。
【図１６】操作部の説明図である。
【符号の説明】
【０１０５】
１００    画像入力部
１０１ａ    画像処理部
１０２ａ    画像出力部
１０３    有彩無彩原稿判定部
１０４    中間調原稿判定部
１０５ａ    出力色判定部
１０６ａ    操作部
１０１ｂ    画像処理部
１０２ｂ    画像出力部
【図１】
2006262209.tif 000003
【図２】
2006262209.tif 000004
【図３】
2006262209.tif 000005
【図４】
2006262209.tif 000006
【図５】
2006262209.tif 000007
【図６】
2006262209.tif 000008
【図７】
2006262209.tif 000009
【図８】
2006262209.tif 000010
【図９】
2006262209.tif 000011
【図１０】
2006262209.tif 000012
【図１１】
2006262209.tif 000013
【図１２】
2006262209.tif 000014
【図１３】
2006262209.tif 000015
【図１４】
2006262209.tif 000016
【図１５】
2006262209.tif 000017
【図１６】
2006262209.tif 000018